(57)【要約】【課題】多様なマッサージを使用者に提供することに貢献するマッサージ機操作プログラム、マッサージ機用操作器、マッサージ機、およびマッサージシステムを提供する。【解決手段】操作器は、表示部、編集部、記憶部、および物理入力部を有する。編集部は、複数のマッサージクラス８０を基本単位としたマッサージコース５０を表示部に表示させる。編集部は、物理入力部の操作に応答して、マッサージクラス８０に含まれる複数のマッサージクラスステップ７３を表示部に表示させる。【選択図】図１０
2014132925.tif 000002
【特許請求の範囲】
【請求項１】
マッサージ機用操作器が実行するマッサージ機操作プログラムであって、
前記マッサージ機用操作器は、入力部および表示部を有し、
前記マッサージ機操作プログラムは、前記入力部に対する入力操作を検知する検知ステップと、マッサージコースを形成する複数のマッサージクラスを前記表示部に表示させる表示ステップとを含み、
前記マッサージクラスは、複数のマッサージクラスステップを有し、
前記複数のマッサージクラスステップは、お互いに施療的関連を有し、
前記マッサージクラスステップは、マッサージ情報を含み、
前記マッサージ情報は、少なくともマッサージ形態およびマッサージ位置に関する情報を含む
マッサージ機操作プログラム。
【請求項２】
前記表示ステップは、
前記マッサージクラスに含まれる前記複数のマッサージクラスステップを前記表示部に表示させる
請求項１に記載のマッサージ機操作プログラム。
【請求項３】
前記複数のマッサージクラスステップは、前記マッサージ形態および前記マッサージ位置の少なくともいずれか一方において前記施療的関連を有する
請求項１または２に記載のマッサージ機操作プログラム。
【請求項４】
前記複数のマッサージクラスステップは、連続的に変化させてマッサージを行う前記マッサージ位置において前記施療的関連を有する
請求項１または２に記載のマッサージ機操作プログラム。
【請求項５】
前記マッサージ機は、編集部を有し、
前記マッサージ機操作プログラムは、前記マッサージコースの構成単位として前記マッサージクラスの少なくとも１つを前記編集部に編集させる編集ステップを有する
請求項１〜４のいずれか一項に記載のマッサージ機操作プログラム。
【請求項６】
前記編集ステップは、前記マッサージクラスの挿入、削除、入替え、および移動の少なくとも１つを実行する
請求項５に記載のマッサージ機操作プログラム。
【請求項７】
マッサージ機用操作器であって、
前記マッサージ機用操作器は、入力部、表示部、編集部、および請求項１〜６のいずれか一項に記載のマッサージ機操作プログラムを有する
マッサージ機用操作器。
【請求項８】
前記マッサージ機であって、
前記マッサージ機は、請求項７に記載のマッサージ機用操作器を有する
マッサージ機。
【請求項９】
前記マッサージ機用操作器は、携帯型電子情報端末の形態を有し、前記入力部、前記表示部、前記編集部、および前記マッサージ機操作プログラムに加えて通信部を有し、
前記入力部は、タッチ操作機能および音声認識機能の少なくとも一方を有し、
前記通信部は、前記マッサージ機の受信部との通信機能を有する
請求項７に記載のマッサージ機用操作器。
【請求項１０】
前記マッサージ機用操作器は、通信部を有し、
前記通信部は、サーバーに対する前記マッサージコースのデータのアップロードおよび前記マッサージコースのデータのダウンロードの少なくとも一方を行う
請求項７に記載のマッサージ機用操作器。
【請求項１１】
マッサージシステムであって、
請求項１〜９のいずれか一項に記載のマッサージ機と、
請求項９または１０に記載のマッサージ機用操作器を有する
マッサージシステム。
【発明の詳細な説明】
【技術分野】
【０００１】
本発明は、マッサージ機操作プログラム、このプログラムを有するマッサージ機用操作器、この操作器を有するマッサージ機、およびこのマッサージ機を有するマッサージシステムに関する。
【背景技術】
【０００２】
従来のマッサージ機は、入力部、制御部、および記憶部を有する。記憶部は、初期値として複数のマッサージコースを記憶している。マッサージコースは、複数のマッサージ形態が記載される。制御部は、使用者による入力部の操作に応じて、マッサージコースにおける複数のマッサージ形態に関する複数の項目を変更する機能を有する。制御部は、例えば、マッサージ形態におけるマッサージ位置、マッサージの強さ、およびマッサージ時間を変更する。記憶部は、制御部により変更されたマッサージコースの内容を記憶する。なお、特許文献１は、従来のマッサージ機の一例を開示している。
【先行技術文献】
【特許文献】
【０００３】
【特許文献１】特開２００６−２６３２６９号公報
【発明の概要】
【発明が解決しようとする課題】
【０００４】
従来のマッサージ機は、複数のマッサージステップより実行されるマッサージコースの全体を使用者に提示することを意図していない。このため、使用者は、１個のマッサージ形態における複数の項目の内容を変更するにあたり、マッサージコースにおけるマッサージの流れに対する影響を意識しにくい。このため、従来のマッサージ機においては、マッサージコースの内容を変更する機能が十分に活用されないおそれがある。このため、使用者に対して多様なマッサージを提供する点において改善の余地が残されている。
【０００５】
本発明は、以上の背景をもとに創作されたものであり、多様なマッサージを使用者に提供することに貢献するマッサージ機操作プログラム、マッサージ機用操作器、マッサージ機、およびマッサージシステムを提供することを目的とする。
【課題を解決するための手段】
【０００６】
（１）第１の手段は、「マッサージ機用操作器が実行するマッサージ機操作プログラムであって、前記マッサージ機用操作器は、入力部および表示部を有し、前記マッサージ機操作プログラムは、前記入力部に対する入力操作を検知する検知ステップと、マッサージコースを形成する複数のマッサージクラスを前記表示部に表示させる表示ステップとを含み、前記マッサージクラスは、複数のマッサージクラスステップを有し、前記複数のマッサージクラスステップは、お互いに施療的関連を有し、前記マッサージクラスステップは、マッサージ情報を含み、前記マッサージ情報は、少なくともマッサージ形態およびマッサージ位置に関する情報を含むマッサージ機操作プログラム」を含む。
【０００７】
マッサージ機は、操作器を有する。操作器は、物理入力部、表示部、編集部、および記憶部を有する。記憶部は、マッサージ機操作プログラムを記憶している。編集部は、マッサージコースの表示を行うとき、表示形態に対する入力操作を検知するステップおよび表示ステップを含むマッサージ機操作プログラムを実行する。編集部は、互いに施療的関連を有する複数のマッサージクラスステップにより形成されるマッサージクラスを用いてマッサージコースの表示を行う。この構成によれば、使用者は、表示部に表示されたマッサージコースにおけるマッサージ内容の全体概要およびマッサージの流れを容易に確認することができる。このため、使用者は、マッサージコース全体を確認しながら自分の体型および体調に合った、多様なマッサージコースの選択を行うことができる。
【０００８】
（２）第２の手段は、「前記表示ステップは、前記マッサージクラスに含まれる前記複数のマッサージクラスステップを前記表示部に表示させるマッサージ機操作プログラム」を含む。
【０００９】
（３）第３の手段は、「前記複数のマッサージクラスステップは、前記マッサージ形態および前記マッサージ位置の少なくともいずれか一方において前記施療的関連を有するマッサージ機操作プログラム」を含む。
【００１０】
（４）第４の手段は、「前記複数のマッサージクラスステップは、連続的に変化させてマッサージを行う前記マッサージ位置において前記施療的関連を有するマッサージ機操作プログラム」を含む。
【００１１】
（５）第５の手段は、「前記マッサージ機は、編集部を有し、前記マッサージ機操作プログラムは、前記マッサージコースの構成単位として前記マッサージクラスの少なくとも１つを前記編集部に編集させる編集ステップを有するマッサージ機操作プログラム」を含む。
【００１２】
（６）第６の手段は、「前記編集ステップは、前記マッサージクラスの挿入、削除、入替え、および移動の少なくとも１つを実行するマッサージ機操作プログラム」を含む。
（７）第７の手段は、「マッサージ機用操作器であって、前記マッサージ機用操作器は、入力部、表示部、編集部、および前記マッサージ機操作プログラムを有するマッサージ機用操作器」を含む。
【００１３】
（８）第８の手段は、「前記マッサージ機であって、前記マッサージ機は、前記マッサージ機用操作器を有するマッサージ機」を含む。
（９）第９の手段は、「前記マッサージ機用操作器は、携帯型電子情報端末の形態を有し、前記入力部、前記表示部、前記編集部、および前記マッサージ機操作プログラムに加えて通信部を有し、前記入力部は、タッチ操作機能および音声認識機能の少なくとも一方を有し、前記通信部は、前記マッサージ機の受信部との通信機能を有するマッサージ機用操作器」を含む。
【００１４】
（１０）第１０の手段は、「前記マッサージ機用操作器は、通信部を有し、通信部は、サーバーに対する前記マッサージコースのデータのアップロードおよび前記マッサージコースのデータのダウンロードの少なくとも一方を行うマッサージ機用操作器」を含む。
【００１５】
（１１）第１１の手段は、「マッサージシステムであって、前記マッサージ機と、前記マッサージ機用操作器を有するマッサージシステム」を含む。
【発明の効果】
【００１６】
本マッサージ機操作プログラム、本マッサージ機用操作器、本マッサージ機、および本マッサージシステムは、多様なマッサージを使用者に提供することを可能とする。
【図面の簡単な説明】
【００１７】
【図１】第１実施形態のマッサージ機の斜視図。
【図２】第１実施形態のマッサージ機における操作器に関する図であり、（ａ）はマッサージコースのマッサージステップ構成図、（ｂ）マッサージステップのフィールド構成図。
【図３】第１実施形態のマッサージ機における操作器の概略構成および表示部の表示内容。
【図４】第１実施形態のマッサージ機における操作器のブロック構成図。
【図５】第１実施形態のマッサージ機における操作器の全ステップ表示時の表示内容。
【図６】第１実施形態のマッサージ機におけるマッサージコースのマッサージステップおよびマッサージクラス構成図。
【図７】第１実施形態のマッサージ機におけるマッサージコースの図６とは異なるマッサージクラス構成図。
【図８】第１実施形態のマッサージ機におけるマッサージクラスを用いるマッサージコース構成図。
【図９】第１実施形態におけるマッサージ機におけるマッサージコース表示処理のステップ図。
【図１０】第１実施形態のマッサージ機におけるマッサージクラスおよびマッサージクラスステップを用いるマッサージコース構成図。
【図１１】第１実施形態のマッサージ機における編集用のプルダウンメニューを含むマッサージコースの構成図。
【図１２】第１実施形態のマッサージ機における編集用の２つのプルダウンメニューを含むマッサージコースの構成図。
【図１３】第１実施形態にマッサージ機におけるマッサージコース編集処理のステップ図。
【図１４】第２実施形態のマッサージ機および携帯型電子情報端末の構成図。
【図１５】第２実施形態における携帯型電子情報端末のブロック構成図。
【図１６】第２実施形態における携帯型電子情報端末の表示内容に関する図であり、（ａ）はマッサージクラス表示内容、（ｂ）はマッサージクラスステップ表示内容。
【図１７】第２実施形態における携帯型電子情報端末の表示内容に関する図であり、（ａ）はマッサージクラス挿入操作時の表示内容、（ｂ）は挿入操作時のマッサージクラス一覧表示内容。
【図１８】第２実施形態における携帯型電子情報端末の表示内容に関する図であり、（ａ）は実行順序変更前のマッサージコース、（ｂ）は実行順序の変更操作画面、（ｃ）は実行順序変更操作後のマッサージコース。
【発明を実施するための形態】
【００１８】
（第１実施形態）
図１を参照して、マッサージ機１の構成について説明する。
マッサージ機１は、装置本体１０および操作器２０を有する。装置本体１０は、座部１１、背もたれ部１２、肘かけ部１３、脚載台１４、および制御部１８を有する。背もたれ部１２は、施療部としての揉み玉１６および揉み玉マッサージ機構１５を有する。揉み玉マッサージ機構１５は、制御部１８からの制御信号を受けて、揉み玉１６を駆動して使用者１２０（図１６参照）の背面部に対する施療を行う。
【００１９】
マッサージ機１は、空気圧によって使用者１２０をマッサージする施療部としての空気袋１７を有する。マッサージ機１は、腕用空気袋１７Ａ、腰用空気袋１７Ｂ、および脚用空気袋１７Ｃを含む空気袋１７を有する。空気袋１７は、膨張して人体を包み込み、押圧によって人体をマッサージする。空気袋１７は、腕用、腰用、および脚用以外の場所に配置されても良い。空気袋１７は、例えば、座部１１における座面に配置されても良い。また、空気袋１７は、背もたれ部１２から肩横に対応する位置に側壁を突設し、この側壁に空気袋を設けることにより使用者１２０の肩に対当する部分に配置されても良い。
【００２０】
使用者１２０は、揉み玉１６によるマッサージを受けたいとき、マッサージ形態およびマッサージ位置を選択する。マッサージ形態は、もみマッサージ、揉ねつマッサージ、さすりマッサージ、のばしマッサージ、および指圧マッサージを含む。揉み玉のマッサージ位置は、首部、肩部、背部、腰部、および背筋を含む。揉み玉のマッサージ位置は、首部、肩部、背部、および腰部のそれぞれがさらに細分化された位置を含む。マッサージ機１は、制御部１８からの制御信号を受けて、マッサージコースを実行する。マッサージコースは、複数のマッサージステップを連続して実行する。マッサージステップは、マッサージ形態と揉み玉のマッサージ位置が設定されたマッサージ動作である。マッサージコースは、例えば、使用者１２０の首部に対するもみマッサージである第１のマッサージステップと、背部に対するのばしマッサージである第２のマッサージステップを連続して実行する。
【００２１】
揉み玉のマッサージ動作は、マッサージの動作パラメータを含んでいる。動作パラメータは、マッサージ強さ、マッサージ時間、もみ回数、マッサージ速度としてのもみ速度、たたきマッサージ形態としてのたたき動作有無およびたたき動作速度、および温熱付与形態としての温熱有無を含む。
【００２２】
マッサージ機１は、マッサージコースとしてすでに設定された既存コースを実行することができる。また、マッサージ機１は、マッサージコースとして既存のコースを変更した変更コースを実行することができる。また、マッサージ機１は、マッサージコースとして新たに作成した新規コースを実行することができる。
【００２３】
図２を参照して、マッサージコースおよびマッサージステップの設定内容について説明する。
図２（ａ）に示されるように、マッサージコース５０は、マッサージステップ６０が連続して設定されている。図２（ａ）に示されるマッサージコース５０を実行するとき、マッサージコース５０に設定された情報は、マッサージ機１の制御部１８に転送される。制御部１８は、転送された情報に従って、揉み玉１６を動作させる。
【００２４】
図２（ｂ）にマッサージステップ６０の設定内容を示している。マッサージステップ６０は、マッサージ情報が記載されるマッサージ情報フィールドとして番号フィールド６１、マッサージ形態フィールド６２、およびマッサージ位置フィールド６３を有する。番号フィールド６１は、マッサージコース５０におけるマッサージステップ６０の実行順序であるステップ番号情報が格納される。揉み玉の形態フィールド６２は、マッサージ形態の情報が格納される。マッサージ位置フィールド６３は、マッサージ位置の情報が格納される。揉み玉の動作パラメータは、マッサージ形態およびマッサージ位置に応じて予め決められた値が設定される。
【００２５】
マッサージステップ６０の設定内容は、操作器２０を操作することにより編集することができる。マッサージステップ６０の編集は、マッサージ形態の設定およびマッサージ位置の設定を含む。
【００２６】
図３を参照して、操作器２０の構成について説明する。
操作器２０は、表示部２１および物理入力部３０を有する。物理入力部３０は開始ボタン３１、左ボタン３２、右ボタン３３、上ボタン３４、下ボタン３５、決定ボタン３６、および終了ボタン３７を有する。
【００２７】
図４に、操作器２０の回路ブロック構成を示している。
操作器２０は、表示部２１、編集部２２、記憶部２３、装置本体インターフェース２４、および入力部としての物理入力部３０を有する。記憶部２３は、マッサージ機操作プログラムを記憶している。編集部２２は、マッサージステップ６０の編集を行うとき、マッサージ機操作プログラムを実行する。物理入力部３０は、開始ボタン３１、左ボタン３２、右ボタン３３、上ボタン３４、下ボタン３５、決定ボタン３６、および終了ボタン３７の操作に応じて、操作信号を編集部２２に出力する。編集部２２は、マッサージ機操作プログラムを実行することにより、物理入力部３０からの操作信号に基づいて、表示部２１に情報を表示させる。編集部２２は、物理入力部３０からの操作信号が入力されるとき、マッサージ機操作プログラムに基づいて、マッサージステップ６０を編集する。編集部２２は、マッサージコース５０の情報を装置本体インターフェース２４に出力する。装置本体インターフェース２４は、ケーブル１９を介してマッサージコース５０の情報を装置本体１０の制御部１８に転送する。
【００２８】
マッサージ形態およびマッサージ位置の変更および設定を行うとき、使用者１２０は、図３に示される開始ボタン３１を操作する。編集部２２は、物理入力部３０からの操作信号に応じて、表示部２１の表示内容を図３に示されるマッサージステップ設定モードとする。マッサージステップ設定モードは、表示部２１に入力部としての仮想入力部４０を形成する。仮想入力部４０は、表示部２１にマッサージ形態アイコン一覧４１Ａおよびマッサージ位置アイコン一覧４１Ｂを表示する。使用者１２０は、左ボタン３２、右ボタン３３、上ボタン３４、および下ボタン３５を操作してカーソル４２を選択するアイコン上に移動させる。使用者１２０は、決定ボタン３６を操作してマッサージ形態およびマッサージ位置の変更および設定を行う。
【００２９】
新規のマッサージコース５０を作成するとき、使用者１２０は、マッサージ形態アイコン一覧４１Ａおよびマッサージ位置アイコン一覧４１Ｂの中から所望のアイコンを選択してマッサージステップ６０を順次作成していく。使用者１２０は、マッサージコース５０を編集するとき、表示部２１に仮想入力部４０として表示された全ステップアイコン４３上にカーソル４２を移動して決定ボタン３６を操作する。編集部２２は、仮想入力部４０からの操作信号に基づいて、表示部２１に全ステップ表示モードとして、マッサージコース５０を形成する複数のマッサージステップ６０を表示させる。
【００３０】
図５に全ステップ表示モードにおける表示部２１の表示形態を示している。
表示部２１は、マッサージコース５０と、仮想入力部４０としての前ページ選択アイコン４４、次ページ選択アイコン４５、および前モード選択アイコン４６とを表示する。表示部２１に表示されるマッサージコース５０は、マッサージコース５０の編集を行うとき、仮想入力部４０の一部を形成する。表示部２１にマッサージコース５０を形成するマッサージステップ６０のすべてを１画面上に表示できないとき、使用者１２０は、カーソル４２を前ページ選択アイコン４４または次ページ選択アイコン４５上に移動して決定ボタン３６を操作する。編集部２２は、物理入力部３０および仮想入力部４０からの操作信号に基づいて、マッサージコース５０を形成するマッサージステップ６０であって、現在表示されていない部分を表示部２１に表示させる。このことにより、マッサージコース５０を形成するマッサージステップ６０の数が多い場合においても、マッサージコース５０を形成するすべてのマッサージステップ６０の内容を確認することができる。
【００３１】
図６は、マッサージコース５０を形成する複数のマッサージステップ６０の一例が示されている。
マッサージコース５０は、互いに施療的関連を有する複数のマッサージクラスステップ７１、７２、および７３を含むマッサージクラス８０が連続して実行される。図６に示される例においては、マッサージコース５０は、第１マッサージクラス８１、第２マッサージクラス８２、および第３マッサージクラス８３を含む。第１マッサージクラス８１は、例えば、使用者１２０の肩マッサージであり、複数のマッサージクラスステップとしてステップ番号（１〜４）のマッサージステップにより形成されている。ステップ番号（１〜４）のマッサージステップは、第１マッサージクラス８１を形成する複数の第１マッサージクラスステップ７１と規定される。複数の第１マッサージクラスステップ７１は、使用者１２０の肩マッサージを行うために、互いに施療的関連を有するマッサージ形態６２およびマッサージ位置６３を指定する。マッサージ位置フィールド６３に記載された位置（Ｐ２、Ｐ３、およびＰ４）は、例えば、使用者１２０の肩部における首付根部、肩峰部、および肩甲骨部の位置が示されている。マッサージ形態フィールド６２に記載された形態（形態Ａ、形態Ｂ、および形態Ｃ）は、例えば、もみマッサージ、さすりマッサージ、および揉ねつマッサージの形態が示されている。
【００３２】
第１マッサージクラス８１を形成する複数の第１マッサージクラスステップ７１は、肩部のマッサージに関して、肩部の細分化された位置および関連する位置のそれぞれに対する適切なマッサージ形態でマッサージを行う点において互いに施療的関連を有する。
【００３３】
第２マッサージクラス８２を形成する複数の第２マッサージクラスステップ７２は、使用者１２０の腰マッサージを行うために、互いに施療的関連を有するマッサージ形態６２およびマッサージ位置６３を指定する。マッサージ位置フィールド６３に記載された位置（Ｐ５、Ｐ６、およびＰ７）は、例えば、使用者１２０の腰部における腰背部、骨盤部、および臀部の位置が示されている。マッサージ形態フィールド６２に記載された形態（形態Ａ、形態Ｂ、形態Ｄ、および形態Ｅ）は、例えば、もみマッサージ、さすりマッサージ、のばしマッサージ、および指圧マッサージの形態が示されている。
【００３４】
第２マッサージクラス８２を形成する複数の第２マッサージクラスステップ７２は、腰部のマッサージに関して、腰部の細分化された位置および関連する位置のそれぞれの対する適切なマッサージ形態でマッサージを行う点において互いに施療的関連を有する。
【００３５】
第３マッサージクラス８３を形成する複数の第３マッサージクラスステップ７３は、使用者１２０の上半身マッサージを行うために、互いに施療的関連を有するマッサージ形態６２およびマッサージ位置６３を指定する。マッサージ位置フィールド６３に記載された位置（Ｐ１、Ｐ２、Ｐ４、Ｐ８、Ｐ５、Ｐ６、およびＰ７）は、例えば、使用者１２０の上半身における首部、首付根部、肩甲骨部、背筋、腰背部、骨盤部、および臀部の位置が示されている。マッサージ形態フィールド６２に記載された形態（形態Ｂ）は、例えば、さすりマッサージの形態が示されている。
【００３６】
第３マッサージクラス８３を形成する複数の第３マッサージクラスステップ７３は、使用者１２０の上半身のマッサージに関して、上半身の首部から臀部に至る経路に沿って、連続的にマッサージを行う点において互いに施療的関連を有する。
【００３７】
図７は、使用者１２０の上半身のマッサージにおいて、図６に示される第３マッサージクラスステップ７３と異なる、互いに医療的関係を有する第４マッサージクラスステップ７４により形成される第４マッサージクラス８４の例が示されている。マッサージ位置フィールド６３に記載された位置（Ｐ１、Ｐ２、Ｐ４、Ｐ６、Ｐ５、およびＰ８）は、例えば、使用者１２０の上半身における首部、首付根部、肩甲骨部、骨盤部、腰背部、および背筋の位置が示されている。マッサージ形態フィールド６２に記載された形態（形態Ａ、形態Ｃ、形態Ｂ、および形態Ｅ）は、例えば、もみマッサージ、揉ねつマッサージ、さすりマッサージ、および指圧マッサージの形態が示されている。
【００３８】
第４マッサージクラス８４を形成する複数の第４マッサージクラスステップ７４は、上半身のマッサージに関して、首部から肩甲骨部に至る経路および骨盤部から背筋に至る経路に沿って、求心性マッサージを行う点において互いに施療的関連を有する。
【００３９】
複数のマッサージクラス８０により形成されるマッサージコース５０における、マッサージの流れおよびマッサージコース５０の全体概要を確認したいとき、使用者１２０は、図３に示される操作器２０を操作する。使用者１２０は、表示部２１に仮想入力部４０として表示されたクラス表示アイコン４７上にカーソル４２を移動して決定ボタン３６を操作する。編集部２２は、物理入力部３０および仮想入力部４０からの操作信号に基づいて、表示部２１にマッサージクラス表示モードとして、複数のマッサージクラス８０により形成されるマッサージコース５０を表示させる。
【００４０】
図８に示されるように、表示部２１がマッサージクラス表示モードとされるとき、編集部２２は、表示部２１に複数のマッサージクラス８０により形成されたマッサージコース５０を表示させる。
【００４１】
マッサージクラス８０は、マッサージ情報が記載されるマッサージ情報フィールドとしてクラス番号フィールド８５およびクラス表示フィールド８６を有する。クラス番号フィールド８５は、マッサージコース５０におけるマッサージクラス８０の実行順序であるクラス番号情報が格納される。クラス表示フィールド８６は、マッサージクラスの情報が格納される。編集部２２は、複数のマッサージクラス８０によりマッサージコース５０を表示させて、使用者１２０にマッサージコース５０の全体を提示する。
【００４２】
図９を参照して、編集部２２が実行するマッサージクラス表示処理の概要を説明する。
編集部２２は、マッサージ機操作プログラムにしたがって、ステップＳ１１〜Ｓ１４の各ステップを順次実行する。
【００４３】
マッサージクラス８０によるマッサージコース５０の表示を行うとき、ステップＳ１１において、編集部２２は、表示部２１に仮想入力部４０を含む操作画面を表示させる。ステップＳ１２において、編集部２２は、仮想入力部４０のクラス表示アイコン４７が操作されたかを確認する。つまり、ステップＳ１２は、編集部２２が仮想入力部４０のクラス表示アイコン４７に対する操作を検知する検知ステップである。クラス表示アイコン４７が操作されていない場合は、編集部２２は、ステップＳ１２を繰り返す。ステップＳ１２においてクラス表示アイコン４７が操作されたと判定されると、ステップＳ１３において、編集部２２は、マッサージクラス表示モードでのマッサージコース５０の表示を行う。ステップＳ１４において、編集部２２は、表示モードが切替えられたかを判定する。表示モードが切替えられていないとき、編集部２２は、マッサージクラス表示モードでの表示を継続する。ステップＳ１４において、表示モードが切替えられたと判定されたとき、編集部２２は、マッサージクラス表示モードでの表示を終了する。
【００４４】
マッサージクラスの詳細を確認したいとき、使用者１２０は、表示部２１に表示される仮想入力部４０を操作する。
図１０に示されるように、使用者１２０は、表示部２１に表示されるカーソル４２を詳細を表示させたいマッサージクラス８０上に移動して決定ボタン３６を操作する。編集部２２は、物理入力部３０および仮想入力部４０からの操作信号に基づいて、例えば、第３マッサージクラス８３に含まれる複数の第３マッサージクラスステップ７３を表示部２１に表示させる。
【００４５】
編集部２２は、複数のマッサージクラス８０によるマッサージコース５０と合わせて、選択されたマッサージクラス８０のマッサージクラスステップ７０を表示させて、使用者１２０に提示する。
【００４６】
使用者１２０は、マッサージクラス８０を基本単位として、既存のマッサージコース５０を編集することにより所望のマッサージコースを作成することができる。また、使用者１２０は、基本単位であるマッサージクラス８０を用いて所望のマッサージコース５０を新規に作成することができる。
【００４７】
図１１を参照して、既存のマッサージコースを編集して所望のマッサージコース５０を作成する方法について説明する。
既存のマッサージコース５０にマッサージクラス８０を追加挿入するとき、使用者１２０は、マッサージコース編集モードにおいて、表示部２１に表示されるカーソル４２を挿入したい箇所のマッサージクラス８０上に移動して決定ボタン３６を操作する。編集部２２は、物理入力部３０および仮想入力部４０からの操作信号に基づいて、表示部２１に第１プルダウンメニュー７５を表示させる。第１プルダウンメニュー７５は、挿入セル、削除セル、入替えセル、および移動セルを含む。使用者１２０は、マッサージクラス８０を追加挿入したいとき、第１プルダウンメニュー７５から挿入セルを選択する。
【００４８】
図１２に示されるように、編集部２２は、仮想入力部４０からの操作信号に基づいて、表示部２１に第２プルダウンメニュー７６としてマッサージクラスの一覧を表示させる。使用者１２０は、表示部２１に表示される第２プルダウンメニュー７６から挿入するマッサージクラスを選択する。編集部２２は、選択されたマッサージクラスを、カーソル４２により指定されたマッサージクラス８０の前に挿入する。
【００４９】
既存のマッサージコース５０のマッサージクラス８０を削除するとき、使用者１２０は、表示部２１に表示されるカーソル４２を削除したいマッサージクラス８０上に移動して決定ボタン３６を操作する。編集部２２は、物理入力部３０および仮想入力部４０からの操作信号に基づいて、表示部２１に第１プルダウンメニュー７５を表示させる。使用者１２０は、マッサージクラス８０を削除したいとき、第１プルダウンメニュー７５から削除セルを選択する。編集部２２は、仮想入力部４０からの操作信号に基づいて、カーソル４２により指定されたマッサージクラス８０を削除する。
【００５０】
既存のマッサージコース５０におけるマッサージクラス８０の入替えまたは移動を行うとき、使用者１２０は、表示部２１に表示されるカーソル４２を入替えまたは移動したいマッサージクラス８０上に移動して決定ボタン３６を操作する。編集部２２は、物理入力部３０および仮想入力部４０からの操作信号に基づいて、表示部２１に第１プルダウンメニュー７５を表示させる。使用者１２０は、入替えセルまたは移動セルを選択する。使用者１２０は、入替え先または移動先のマッサージクラス８０を選択する。編集部２２は、仮想入力部４０からの操作信号に基づいて、カーソル４２により指定されたマッサージクラス８０の入替え先のマッサージクラス８０との入替え、または移動先のマッサージクラス８０の前への移動を行う。編集部２２は、マッサージクラス８０の入替えまたは移動により、マッサージコース５０におけるマッサージクラス８０の実行の順番変更を行う。
【００５１】
マッサージクラス８０を基本単位として所望のマッサージコース５０を新規に作成するとき、使用者１２０は、図１１および図１２に示されるマッサージクラス８０の挿入操作を必要な挿入回数分だけ行う。
【００５２】
図１３を参照して、編集部２２が実行するマッサージコース編集処理の概要について説明する。
編集部２２は、マッサージ機操作プログラムにしたがって、ステップＳ２１〜Ｓ２４の各ステップを順次実行する。
【００５３】
マッサージコース５０の編集を行うとき、ステップＳ２１において、編集部２２は、表示部２１にマッサージクラス表示モードを用いてマッサージコース５０を表示させる。ステップＳ２２において、編集部２２は、物理入力部３０および仮想入力部４０からの操作信号が有るかを判定する。物理入力部３０および仮想入力部４０からの操作信号が無い場合は、編集部２２は、ステップＳ２２を繰り返す。ステップＳ２２において物理入力部３０および仮想入力部４０からの操作信号が有ると判定されると、ステップＳ２３において、編集部２２は、操作信号に基づいてマッサージクラス８０を基本単位としたマッサージコース５０に対する編集を行う。ステップＳ２４において、編集部２２は、終了ボタン３７が操作されたかを判定する。終了ボタン３７が操作されていないとき、編集部２２は、ステップＳ２２〜Ｓ２４を繰り返す。ステップＳ２４において終了ボタン３７が操作されたと判定されると、編集部２２は、マッサージコース編集処理を終了する。
【００５４】
使用者１２０は、マッサージコース５０およびマッサージクラス８０として、既存のマッサージコース５０および既存のマッサージクラス８０を用いることができる。また、使用者１２０は、マッサージステップ６０を用いて新規のマッサージクラス８０を作成することができる。
【００５５】
本実施形態のマッサージ機１は、以下の効果を奏する。
（１）マッサージ機１は、装置本体１０および操作器２０を有する。操作器２０は、物理入力部３０、表示部２１、編集部２２、および記憶部２３を有する。記憶部２３は、マッサージ機操作プログラムを記憶している。編集部２２は、マッサージコース５０の表示を行うとき、マッサージ機操作プログラムを実行する。編集部２２は、互いに施療的関連を有する複数のマッサージクラスステップ７０により形成されるマッサージクラス８０を用いてマッサージコース５０の表示を行う。この構成によれば、使用者１２０は、表示部２１に表示されたマッサージコース５０におけるマッサージ内容の全体概要およびマッサージの流れを容易に確認することができる。このため、使用者１２０は、マッサージコース５０全体を確認しながら自分の体型および体調に合った、多様なマッサージコース５０の選択を行うことができる。
【００５６】
（２）編集部２２は、マッサージコース５０の表示を行うとき、マッサージ機操作プログラムを実行する。編集部２２は、お互いに施療的関連を有する複数のマッサージクラスステップ７０により形成されるマッサージクラス８０を用いてマッサージコース５０の表示を行う。編集部２２は、仮想入力部４０の操作に応じて、マッサージクラス８０を形成するマッサージクラスステップ７０を表示部２１に表示させる。この構成によれば、使用者１２０は、表示部２１に表示されたマッサージコース５０におけるマッサージ内容の全体概要およびマッサージの流れを容易に確認することができる。また、使用者１２０は、マッサージコース５０におけるマッサージクラスの詳細を容易に確認することができる。このため、使用者１２０は、マッサージコース５０のマッサージ内容を的確に把握することができる。
【００５７】
（３）編集部２２は、マッサージコース５０の編集を行うとき、マッサージ機操作プログラムを実行する。編集部２２は、マッサージコース５０を形成する複数のマッサージクラス８０を表示部２１に表示させる。マッサージクラス８０は、互いに施療的関連を有する複数のマッサージクラスステップ７０を有する。使用者１２０は、マッサージクラス８０を基本単位としてマッサージコース５０の編集を行う。編集部２２は、仮想入力部４０の操作に応じて複数のマッサージクラスステップ７０を表示部２１に表示させる。この構成によれば、使用者１２０は、表示部２１に表示されたマッサージコース５０を形成する複数のマッサージクラス８０の相互の関係を確認しながらマッサージコース５０を自由に変更できる。このため、使用者１２０は、好みのマッサージコース５０を作成してマッサージを受けることができる。このため、使用者１２０は、マッサージによる心地良い刺激を受けることができる。
【００５８】
（４）編集部２２は、マッサージコース５０の編集を行うとき、マッサージ機操作プログラムを実行する。編集部２２は、マッサージコース５０を形成する複数のマッサージクラス８０を表示部２１に表示させる。使用者１２０は、マッサージクラス８０を基本単位としてマッサージコース５０の編集を行う。この構成によれば、使用者１２０は、マッサージクラス８０の挿入、削除、および順序変更によるマッサージコース５０の変更を容易に行うことができる。このため、使用者１２０は、マッサージ動作を行なうとき、わずらわしさを感じずに、頻繁にマッサージコース５０を変更できる。
【００５９】
（第２実施形態）
第２実施形態のマッサージ機１は、第１実施形態のマッサージ機１と比較して以下の部分において異なる構成を有し、その他の部分において同一の構成を有する。なお、第１実施形態のマッサージ機１と共通する構成については同一の符号を付して、その説明の一部または全部を省略する。
【００６０】
第１実施形態のマッサージ機１は、操作器２０を有する。一方、第２実施形態のマッサージ機１は、受信部１１０を有する。
図１４を参照して、マッサージ機１の構成を説明する。
【００６１】
マッサージ機１は、装置本体１０、受信部１１０、および第２ケーブル１１１を有する。第２ケーブル１１１は、装置本体１０と受信部１１０を互いに接続する。マッサージ機１は、受信部１１０が受信する携帯型電子情報端末９０からの操作信号に基づいてマッサージ動作を実行する。図１４に示される構成において、マッサージ機１および携帯型電子情報端末９０によりマッサージシステムを構成する。
【００６２】
図１５を参照して、携帯型電子情報端末９０のブロック構成を説明する。
携帯型電子情報端末９０は、情報処理部９１、記憶部９２、入力部９３、通信部９４、バス９５、および表示部１００を有する。入力部９３は、タッチ操作入力部を備えたタッチ操作機能を有する。通信部９４は、無線通信機能および移動体データ通信機能を有する。携帯型電子情報端末９０は、マッサージ機操作プログラムを記憶部９２に記憶している。携帯型電子情報端末９０は、マッサージ機操作プログラムが情報処理部９１で実行されることにより、マッサージ機１の操作器として動作する。
【００６３】
マッサージ機１の使用者１２０は、入力部９３が有するタッチ操作機能を用いてマッサージ機１に対する指示操作を行う。携帯型電子情報端末９０は、タッチ操作機能によるマッサージ機１に対する指示操作を受けて、マッサージ機１に対する操作信号を送信する。マッサージ機１は、携帯型電子情報端末９０からの操作信号を受信部１１０により受信する。マッサージ機１は、受信部１１０により受信した制御信号に基づいてマッサージ動作を実施する。
【００６４】
マッサージ機１は、受信部１１０により受信した操作信号を制御部１８に出力する。マッサージ機１は、制御部１８からの制御信号を受けてマッサージコースを実行する。マッサージコースの情報は、携帯型電子情報端末９０がマッサージ機１の受信部１１０に送信する。
【００６５】
携帯型電子情報端末９０は、マッサージ機操作プログラムを情報処理部９１で実行することにより、マッサージコース５０およびマッサージクラス８０の作成および変更を行うことができる。
【００６６】
使用者１２０は、携帯型電子情報端末９０が有するタッチ操作機能を用いて、マッサージコース５０およびマッサージクラス８０に対する操作入力を行う。携帯型電子情報端末９０は編集部を有する。情報処理部９１がマッサージ機操作プログラムを実行するとき、編集部は、情報処理部９１内に構築される。編集部は、携帯型電子情報端末９０のタッチ操作機能に基づいて、マッサージコース５０およびマッサージクラス８０の編集を行う。
【００６７】
図１６は、マッサージコース５０の表示形態が示されている。
図１６（ａ）に示されるように、携帯型電子情報端末９０が有する編集部は、マッサージクラス表示モードにおいて、複数のマッサージクラス８０により形成されるマッサージコース５０が示されるマッサージクラス表示画面１０１を表示部１００に表示させる。
【００６８】
マッサージクラス表示画面１０１に表示されるマッサージクラス８０を形成するマッサージクラスステップ７０を表示させたいとき、使用者１２０は、タッチ操作機能を用いて詳細表示させたいマッサージクラス８０をダブルクリックする。編集部は、携帯型電子情報端末９０のタッチ操作機能に基づいて、図１６（ｂ）に示されるように、複数のマッサージクラスステップ７０が示されるマッサージクラスステップ表示画面１０２を表示部１００に表示させる。
【００６９】
マッサージコース５０の編集を行うとき、編集部は、マッサージクラス表示画面１０１を表示部１００に表示させる。
図１７を参照して、既存のマッサージコース５０に対してマッサージクラス８０を追加挿入する操作について説明する。
【００７０】
マッサージクラス８０の追加挿入を行うとき、使用者１２０は、マッサージクラス編集モードにおいて、図１７（ａ）に示されるように、挿入したいマッサージクラス８０の位置をダブルクリックする。編集部は、携帯型電子情報端末９０のタッチ操作機能に基づいて、図１７（ｂ）に示されるように、マッサージクラス一覧画面１０３を表示部１００に表示させる。使用者１２０は、挿入したいマッサージクラスを選択した後に選択完了スイッチを操作する。編集部は、携帯型電子情報端末９０のタッチ操作機能に基づいて、選択されたマッサージクラスをマッサージコース５０の選択された位置に挿入する。
【００７１】
図１８を参照して、マッサージコース５０におけるマッサージクラス８０の実行順序の変更を行う操作について説明する。
マッサージクラス８０の実行順序の変更を行うとき、使用者１２０は、図１８（ａ）に示されるように、移動させたいマッサージクラス８０であるクラス番号の第４番目を長押しして選択する。使用者１２０は、図１８（ｂ）に示されるように、クラス番号の第４番目のマッサージクラス８０を実行したい位置にドラッグして移動させる。この操作により、図１８（ｃ）に示されるように、移動前のクラス番号の第４番目のマッサージクラス８０は、クラス番号の第２番目に移動される。編集部は、異なる編集モードを設定するとき、同様のタッチ操作でクラス番号の第４番目のマッサージクラス８０とクラス番号の第２番目のマッサージクラス８０とを入れ替える。
【００７２】
マッサージクラス８０を基本単位として所望のマッサージコース５０を新規に作成するとき、使用者１２０は、図１７に示されるマッサージクラス８０の挿入操作を必要な挿入回数分だけ行う。
【００７３】
マッサージクラス表示モードでの複数のマッサージクラス表示において、マッサージクラス表示画面１０１に表示することができないマッサージクラスは、タッチ操作による画面スクロースで必要部が表示部１００に表示される。
【００７４】
携帯型電子情報端末９０は、図１５に示される通信部９４が有する移動体データ通信機能により、マッサージコース５０のデータをインターネット２００を経由してサーバー２１０にアップロードする。サーバー２１０にアップロードされたマッサージコース５０のデータを使用したいとき、使用者１２０は、インターネット２００を経由したダウンロードによりマッサージコース５０のデータを携帯型電子情報端末９０に取り込む。
【００７５】
マッサージシステムは、サーバー２１０にアップロードされたマッサージコース５０を整備して他の利用者に配信が可能な構成としてもよい。
第２実施形態におけるマッサージ機１は、図１４に示される構成に限られない。例えば、マッサージ機１は、操作器２０を有する。マッサージ機１は、受信部１１０により受信した携帯型電子情報端末９０からの操作信号および操作器２０からの操作信号に基づいてマッサージ動作を実行する。
【００７６】
マッサージ機１によれば、第１実施形態が奏する効果（１）〜（４）と同様の効果を奏する。すなわち、編集部２２がマッサージクラス８０を用いてマッサージコース５０の表示を行うことにより、使用者１２０がマッサージコース５０の全体概要および流れを容易に確認できる旨の効果、およびその他の種々の効果を奏する。また、マッサージ機１は、以下の効果を奏する。
【００７７】
（５）マッサージ機１は、受信部１１０を有する。マッサージ機１は、受信部１１０が受信する携帯型電子情報端末９０からの操作信号に基づいてマッサージ動作を実行する。携帯型電子情報端末９０は、情報処理部９１、記憶部９２、入力部９３、通信部９４、および表示部１００を有する。入力部９３は、タッチ操作入力部を備えたタッチ操作機能を有する。通信部９４は、無線通信部および移動体データ通信部を有する。使用者１２０は、タッチ操作機能を用いてマッサージコース５０およびマッサージクラス８０に対する操作入力を行う。情報処理部９１が有する編集部は、タッチ操作機能に基づいて、マッサージコース５０およびマッサージクラス８０の編集を行う。この構成によれば、使用者１２０は、携帯型電子情報端末９０が有するタッチ操作機能を用いてマッサージ機１の操作を行うことができる。このため、使用者１２０は、マッサージコース５０およびマッサージクラス８０の編集の操作性が向上する。
【００７８】
（６）マッサージ機１は、受信部１１０を有する。マッサージ機１は、受信部１１０が受信する携帯型電子情報端末９０からの操作信号に基づいてマッサージ動作を実行する。携帯型電子情報端末９０は、情報処理部９１、記憶部９２、入力部９３、通信部９４、バス９５、および表示部１００を有する。使用者１２０は、タッチ操作機能を用いてマッサージコース５０およびマッサージクラス８０に対する操作入力を行う。この構成によれば、使用者１２０は、携帯型電子情報端末９０が備える高度なタッチ操作入力機能および高精度の表示画像を用いてマッサージコース５０およびマッサージクラス８０に対する操作を行うことができる。このため、使用者１２０の利便性が向上する。
【００７９】
（７）携帯型電子情報端末９０は、情報処理部９１、記憶部９２、入力部９３、通信部９４、および表示部１００を有する。携帯型電子情報端末９０は、サーバー２１０にアップロードされたマッサージコース５０のデータをインターネット２００を経由したダウンロードにより取り込む。この構成によれば、使用者１２０は、サーバー２１０にアップロードされた種々のマッサージクラス８０を用いてマッサージコース５０を作成することができる。このため、使用者１２０は、多様なマッサージコース５０の変更および作成を行うことができる。
【００８０】
（その他の実施形態）
本マッサージ機操作プログラム、本マッサージ機用操作器、本マッサージ機、および本マッサージシステムは、第１および第２実施形態以外の実施形態を含む。以下、本マッサージ機操作プログラム、本マッサージ機用操作器、本マッサージ機、および本マッサージシステムのその他の実施形態としての第１および第２実施形態の変形例を示す。なお、以下の各変形例は、互いに組み合わせることもできる。
【００８１】
・第１実施形態のマッサージ機１は、操作器２０が記憶部２３を有し、記憶部２３が記憶するマッサージ機操作プログラムを編集部２２が実行する。ただし、マッサージ機１の構成は、第１実施形態に例示された内容に限られない。例えば、変形例のマッサージ機１は、装置本体１０が記憶部２３を有し、記憶部２３が記憶するマッサージ機操作プログラムを制御部１８が実行する。
【００８２】
・第１実施形態のマッサージ機１は、マッサージ位置を設定するとき、表示部２１に表示されるマッサージ位置アイコン一覧４１Ｂからマッサージ位置を選択する。ただし、マッサージ機１の構成は、第１実施形態に例示された内容に限られない。例えば、変形例のマッサージ機１は、マッサージ位置を設定するとき、表示部２１にマッサージ可能な位置を示した人体図を表示する。使用者１２０は、表示された人体図に示されるマッサージ可能な位置からマッサージ位置を選択する。
【００８３】
・第２実施形態のマッサージ機１は、使用者１２０の携帯型電子情報端末９０に対するタッチ操作入力によりマッサージステップ６０のマッサージ形態、マッサージ位置およびマッサージ動作パラメータを設定する。ただし、マッサージ機１の構成は、第２実施形態に例示された内容に限られない。例えば、変形例のマッサージ機１は、使用者１２０の携帯型電子情報端末９０に対する音声入力により、マッサージステップ６０のマッサージ形態、マッサージ位置およびマッサージ動作パラメータを設定する。
【００８４】
携帯型電子情報端末９０の入力部９３は、音声入力部を備えた音声認識機能を有する。使用者１２０は、マッサージ位置の設定を行うとき、携帯型電子情報端末９０の音声認識機能を用いる。使用者１２０は、マッサージ位置として肩を選択したいとき、携帯型電子情報端末９０の音声入力部に向かって「肩」と発声する。携帯型電子情報端末９０は、音声認識機能により肩の選択入力を認識してマッサージ位置として肩を選択する。
【００８５】
この変形例のマッサージ機１の構成によれば、使用者１２０の手を用いたタッチ操作ができない場合においても、マッサージステップ６０のマッサージ形態、マッサージ位置およびマッサージ動作パラメータを設定することができる。
【００８６】
・第２実施形態のマッサージ機１は、使用者１２０の携帯型電子情報端末９０に対するタッチ操作入力によりマッサージステップ６０のマッサージ形態、マッサージ位置およびマッサージ動作パラメータの変更および設定を行う。ただし、マッサージ機１の構成は、第２実施形態に例示された内容に限られない。例えば、変形例のマッサージ機１は、使用者１２０の携帯型電子情報端末９０に対するタッチ操作入力と音声入力とを組み合わせて、マッサージステップ６０のマッサージ形態、マッサージ位置およびマッサージ動作パラメータの変更および設定を行う。
【００８７】
携帯型電子情報端末９０の入力部９３は、タッチ操作入力部を備えたタッチ操作機能および音声入力部を備えた音声認識機能を有する。使用者１２０は、タッチ操作入力と音声入力とを組み合わせて、マッサージステップ６０のマッサージ形態、マッサージ位置およびマッサージ動作パラメータの変更および設定を行う。
【００８８】
・第２実施形態のマッサージ機１は、受信部１１０および第２ケーブル１１１を有する。ただし、マッサージ機１は第２実施形態に示される構成に限られない。例えば、変形例のマッサージ機１は、装置本体１０が備える回路ブロックが受信機能を有する。
【００８９】
この変形例のマッサージ機１の構成によれば、マッサージ機１は、図１４に示される受信部１１０が取り除かれた単純な形状としてマッサージ機１を構成することができる。
・第１実施形態のマッサージ機１は、使用者１２０が操作器２０の表示部２１に表示されるマッサージコース５０およびマッサージクラス８０に対する変更および作成を行う。ただし、マッサージ機１は第１実施形態に示される構成に限られない。例えば、変形例のマッサージ機１は、変更および作成されたマッサージコースを記憶するマッサージコース記憶部を有する。使用者１２０は、マッサージを行うとき、マッサージコース記憶部が記憶するマッサージコースを読出して実行する。
【００９０】
・第１実施形態のマッサージ機１は、使用者１２０が操作器２０の表示部２１に表示されるマッサージコース５０およびマッサージクラス８０に対する変更および作成を行う。ただし、マッサージ機１は第１実施形態に示される構成に限られない。例えば、変形例のマッサージ機１は、マッサージコース５０およびマッサージクラス８０の変更履歴を記憶する変更履歴記憶部を有する。マッサージ機１は、変更履歴記憶部の記憶情報に基づいて、使用者１２０に対して推奨マッサージコースを提示する。
【００９１】
・第１実施形態のマッサージ機１は、使用者１２０が操作器２０の表示部２１に表示されるマッサージコース５０およびマッサージクラス８０に対する変更および作成を行う。ただし、マッサージ機１は第１実施形態に示される構成に限られない。例えば、変形例のマッサージ機１は、制御部１８が外部センサからの情報に基づいてマッサージコース５０を作成する。外部センサは、例えば、活動量計および体組成計とされる。制御部１８は、例えば、活動量計が計測する歩数が多いとき、使用者１２０の脚部のマッサージに重点をおいたマッサージコース５０を作成して使用者１２０に提示する。
【００９２】
・第２実施形態のマッサージシステムは、使用者１２０が携帯型電子情報端末９０の表示部１００に表示されるマッサージコース５０およびマッサージクラス８０に対する変更および作成を行う。ただし、マッサージシステムは第２実施形態に示される構成に限られない。例えば、変形例のマッサージ機１は、サーバー２１０が外部センサからの情報に基づいてマッサージコース５０を作成する。外部センサは、例えば、活動量計および体組成計とされる。使用者１２０は、サーバー２１０が作成したマッサージコース５０をダウンロードしてマッサージを実行する。
【符号の説明】
【００９３】
１…マッサージ機、２０…操作器、２１…表示部、２２…編集部、３０…物理入力部、４０…仮想入力部、５０…マッサージコース、６２…マッサージ形態、６３…マッサージ位置、７０…マッサージクラスステップ、８０…マッサージクラス、９０…携帯型電子情報端末、９３…入力部、９４…通信部、１００…表示部、１１０…受信部、２１０…サーバー。
【図１】
2014132925.tif 000003
【図２】
2014132925.tif 000004
【図３】
2014132925.tif 000005
【図４】
2014132925.tif 000006
【図５】
2014132925.tif 000007
【図６】
2014132925.tif 000008
【図７】
2014132925.tif 000009
【図８】
2014132925.tif 000010
【図９】
2014132925.tif 000011
【図１０】
2014132925.tif 000012
【図１１】
2014132925.tif 000013
【図１２】
2014132925.tif 000014
【図１３】
2014132925.tif 000015
【図１４】
2014132925.tif 000016
【図１５】
2014132925.tif 000017
【図１６】
2014132925.tif 000018
【図１７】
2014132925.tif 000019
【図１８】
2014132925.tif 000020